(57)【特許請求の範囲】
【請求項１】
傷部位に配置されるフォームドレッシングと、
前記傷部位の隣接皮膚に付着し、前記傷部位を密閉するフィルムドレッシングと、
一端が、前記フィルムドレッシングと前記傷部位との間に形成される密閉空間と連通するドレーンチューブと、
前記ドレーンチューブの他端に連結され、前記密閉空間に陰圧を供給する陰圧発生ユニットと、
前記陰圧により前記密閉空間から排出される流体の流量を測定する流量センサーと、
前記流量センサーで測定された前記流体の流量を基礎として前記傷部位の体積を算出する体積算出部とを含み、
前記密閉空間は、前記フィルムドレッシングと前記フォームドレッシングとの間の第１密閉空間と、前記フォームドレッシングが配置される傷部位の第２密閉空間とを有し、
前記第１密閉空間内の前記流体を排出して前記第１密閉空間を縮小させ、前記第１密閉空間を消失させると、前記フィルムドレッシングが前記フォームドレッシングに圧着され、
前記体積算出部は、前記フィルムドレッシング及び前記フォームドレッシングが前記傷部位の表面に圧着される過程で排出された流体の流量を積算し、前記傷部位の体積を算出することを特徴とする傷の体積測定装置。
【請求項２】
前記体積算出部は、
測定された前記流体の流量の変化率が臨界変化率を超過した時点から測定された前記流体の流量を積算し、前記傷部位の体積を算出することを特徴とする請求項１に記載の傷の体積測定装置。
【請求項３】
前記体積算出部は、
測定された前記流体の流量が臨界流量より小さくなる時点から測定された前記流体の流量を積算し、前記傷部位の体積を算出することを特徴とする請求項１に記載の傷の体積測定装置。
【請求項４】
前記体積算出部は、
前記密閉空間内の陰圧が臨界陰圧に対応するまで測定された前記流体の流量を積算し、前記傷部位の体積を算出することを特徴とする請求項２又は３に記載の傷の体積測定装置。
【請求項５】
前記ドレーンチューブと連結され、陰圧により前記密閉空間から排出される流体を収容するキャニスターをさらに含むことを特徴とする請求項１に記載の傷の体積測定装置。
【請求項６】
前記体積算出部で算出された傷の体積を表示するディスプレイ部をさらに含むことを特徴とする請求項１に記載の傷の体積測定装置。
【発明の詳細な説明】
【技術分野】
【０００１】
本発明は、傷治療装置に関し、より詳細には、傷治療のために傷の体積を測定するための傷の体積測定装置に関する。
【背景技術】
【０００２】
病院では、傷部位の治療を促進するために、陰圧を利用した治療を行っている。このように陰圧を利用した傷部位の治療のためには、まず、傷部位に多孔性パッドなどを付着する。傷部位で発生した滲出物は、傷部位に付着した多孔性パッドに吸収される。
【０００３】
多孔性パッドなどには、吸入ヘッドが連結されており、吸入ヘッドは、ドレーンチューブなどを介して真空装置（すなわち、吸引器）に連結される。真空装置で陰圧を発生させる場合、陰圧は、吸入ヘッドに伝達される。
陰圧が吸入ヘッドに伝達されるにつれて、吸入ヘッドは、多孔性パッドなどに吸収された滲出物を吸入する。吸入ヘッドによって吸入された滲出物は、ドレーンチューブを介して外部に排出される。
【０００４】
また、滲出物が排出された傷部位に別途の治療物質を投与するイリゲーションユニットを介して傷の治癒を促進させることができる。
治療物質は、傷部位の体積に対応するように投与されることが好ましい。しかし、各患者ごとに傷部位のサイズが異なるため、治療物質の投与量を一律的に定めることはできない。
【０００５】
また、傷は、多孔性パッドが付着されたまま、フィルムドレッシングで密閉されるので、外部で傷部位の体積を推定しにくい。これより、現在は、医者が経験及び患者の好転度に基づいて治療物質の投与量を決定している。
【先行技術文献】
【特許文献】
【０００６】
【特許文献１】韓国特許公開第１０−２０１１−００６２９６２公報（２０１１．０６．１０公開）
【発明の概要】
【発明が解決しようとする課題】
【０００７】
本発明が解決しようとする課題は、傷の体積を測定し、傷治療を促進できる傷の体積測定装置を提供することにある。
【０００８】
本発明の課題は、以上で言及した課題に制限されず、言及されない他の課題は、以下の記載から当業者に明確に理解され得る。
【課題を解決するための手段】
【００１５】
前記課題を達成するために、本発明の実施例による傷の体積測定装置は、傷部位に配置されるフォームドレッシングと、前記傷部位の隣接皮膚に付着し、前記傷部位を密閉するフィルムドレッシングと、一端が、前記フィルムドレッシングと前記傷部位との間に形成される密閉空間と連通するドレーンチューブと、前記ドレーンチューブの他端に連結され、前記密閉空間に陰圧を供給する陰圧発生ユニットと、前記陰圧により前記密閉空間から排出される流体の流量を測定する流量センサーと、前記流量センサーで測定された前記流体の流量を基礎として前記傷部位の体積を算出する体積算出部とを含み、
前記密閉空間は、前記フィルムドレッシングと前記フォームドレッシングとの間の第１密閉空間と、前記フォームドレッシングが配置される傷部位の第２密閉空間とを有し、
前記第１密閉空間内の前記流体を排出して前記第１密閉空間を縮小させ、前記第１密閉空間を消失させると、前記フィルムドレッシングが前記フォームドレッシングに圧着され、
前記体積算出部は、前記フィルムドレッシング及び前記フォームドレッシングが前記傷部位の表面に圧着される過程で排出された流体の流量を積算し、前記傷部位の体積を算出する。
【００１７】
いくつかの実施例において、前記体積算出部は、測定された前記流体の流量の変化率が臨界変化率を超過した時点から測定された前記流体の流量を積算し、前記傷部位の体積を算出できる。
【００１８】
いくつかの実施例において、前記体積算出部は、測定された前記流体の流量が臨界流量より小さくなる時点から測定された前記流体の流量を積算し、前記傷部位の体積を算出できる。
【００１９】
いくつかの実施例において、前記体積算出部は、前記密閉空間内の陰圧が臨界陰圧に対応するまで測定された前記流体の流量を積算し、前記傷部位の体積を算出できる。
【００２０】
いくつかの実施例において、前記ドレーンチューブと連結され、陰圧により前記密閉空間から排出される流体を収容するキャニスターをさらに含むことができる。
【００２１】
いくつかの実施例において、前記体積算出部で算出された前記傷の体積を表示するディスプレイ部をさらに含むことができる。
【発明の効果】
【００２２】
本発明に係る傷の体積測定装置によれば、次のような効果が一つ或いはそれ以上ある。
【００２３】
傷の体積を自動的に測定できる。また、自動的に測定された傷の体積を基づいて、傷内に投与される治療物質の投与量をより正確に決定できる効果がある。
【００２４】
本発明の効果は、以上で言及した効果に制限されず、言及されない他の効果は、請求範囲の記載から当業者に明確に理解され得る。
【図面の簡単な説明】
【００２５】
【図１】本発明の一実施例による傷の体積測定装置を示す概略図である。
【図２】本発明の一実施例による傷の体積測定装置の作動を説明するための図である。
【図３】本発明の一実施例による傷の体積測定装置の作動を説明するための図である。
【図４】本発明の一実施例による傷の体積測定装置の作動を説明するための図である。
【図５】本発明の一実施例による傷の体積測定装置が作動する場合に発生する流体の流量を概略的に示すグラフである。
【図６】本発明の一実施例による傷の体積測定装置の作動過程を示す流れ図である。
【図７】本発明の他の実施例による傷の体積測定装置が作動する場合に発生する流体の流量を概略的に示すグラフである。
【発明を実施するための形態】
【００２６】
［発明を実施するための最良の形態］
本発明の利点及び特徴、そしてそれらを達成する方法は、詳細に後述されている実施例を参照すると、明確になる。しかし、本発明は、以下で開示される実施例に限定されるものではなく、異なる多様な形態に具現され得、但し、本実施例は、本発明の開示を完全にし、本発明の属する技術分野における通常の知識を有する者に発明の範疇を完全に知らせるために提供されるものであり、本発明は、請求項の範疇によって定義されるだけである。明細書全体にわたって同一の参照符号は、同一の構成要素を指称する。
【００２７】
本明細書で使用された用語は、実施例を説明するためのものであり、本発明を制限するものではない。本明細書で、単数型は、文具で特に言及しない限り、複数型をも含む。明細書で使用される「含む（ｃｏｍｐｒｉｓｅｓ）」及び／又は「含む（ｃｏｍｐｒｉｓｉｎｇ）」は、言及された構成要素、段階、動作及び／又は素子に一つ以上の他の構成要素、段階、動作及び／又は素子の存在又は追加を排除しない。
他に定義されない限り、本明細書で使用されるすべての用語（技術及び科学的用語を含む）は、本発明の属する技術分野における通常の知識を有する者に共通的に理解され得る意味として使用され得る。また、一般的に使用される辞書に定義されている用語は、明白に特に別途定義されていない限り、理想的に又は過度に解釈されない。
【００２８】
以下、本発明の実施例によって傷部位の体積測定装置を説明するための図面を参照して本発明について説明する。
【００２９】
図１は、本発明の一実施例による傷の体積測定装置を示す概略図である。
図１を参照すれば、本発明の一実施例による傷の体積測定装置１０は、フォームドレッシング１１０、吸入ヘッド１２０、フィルムドレッシング１３０、イリゲーションユニット１４０、ドレーンチューブ２００、ハウジング３００、陰圧発生ユニット３１０、流量センサー３２０、体積算出部３３０、圧力センサー３４０、疎水性フィルター３５０及びキャニスター４００を含む。
【００３０】
図１に示されたように、フォームドレッシング１１０は、凹んだ傷部位Ｗに配置される。フォームドレッシング１１０は、凹んだ傷部位Ｗに配置され、傷で発生する滲出物を吸収する役目を行う。
【００３１】
フォームドレッシング１１０は、傷で発生した滲出物を効率的に吸収するために、ポリウレタン、ポリエーテルなどの材質よりなることができるが、これに限定されず、滲出物を効果的に吸収できる材質であれば十分である。
【００３２】
また、フォームドレッシング１１０は、陰圧発生ユニット３１０で供給された陰圧により体積が可変され得る。例えば、フォームドレッシング１１０は、後述するように、フィルムドレッシング１３０と傷部位Ｗとの間の密閉空間Ｓ内に配置され、密閉空間Ｓ内に陰圧が供給されるとき、フォームドレッシング１１０は、体積が縮小されながら傷部位Ｗの表面に圧着される。これにより、フォームドレッシング１１０は、陰圧により体積が可変できる。
【００３３】
フィルムドレッシング１３０は、傷部位Ｗの隣接皮膚に付着され、傷部位Ｗを密閉する役目を行う。図１に示されたように、フィルムドレッシング１３０は、吸入ヘッド１２０の一部を除いて傷部位Ｗを密閉する。これにより、フィルムドレッシング１３０と傷部位Ｗとの間には、密閉空間Ｓが形成される。また、フィルムドレッシング１３０は、伸縮性を有する材質で形成され、密閉空間Ｓ内に陰圧が作用するか、陰圧が変化する環境においても、傷部位Ｗに対する密閉を維持するように構成される。
【００３４】
吸入ヘッド１２０は、フォームドレッシング１１０の一側面に配置される。吸入ヘッド１２０は、陰圧によりフォームドレッシング１１０に吸収された滲出物をドレーンチューブ２００に案内する役目を行う。
【００３５】
吸入ヘッド１２０は、略円形のフランジ部（参照番号無し）及びドレーンチューブ２００と連結される連結管部（参照番号無し）を含む。フランジ部（参照番号無し）は、連結管部（参照番号無し）と連通する連通ホール（図示せず）が形成される。また、フランジ部（参照番号無し）は、一端が連通ホール（図示せず）と連結される複数の案内流路（図示せず）が形成される。
【００３６】
複数の案内流路（図示せず）は、連通ホール（図示せず）を中心に放射状に配置され得る。複数の案内流路（図示せず）は、フォームドレッシング１１０で吸収される滲出物が互いに混ざらないように、連通ホール（図示せず）に案内する役目を行う。これにより、フォームドレッシング１１０で吸収した滲出物は、連通ホール（図示せず）に集められる。
【００３７】
連結管部（参照番号無し）の一端は、ドレーンチューブ２００の一端と連通し、連結管部（参照番号無し）の他端は、フランジ部（参照番号無し）の連通ホール（図示せず）と連通する。
【００３８】
吸入ヘッド１２０は、連結管部（参照番号無し）を除いて密閉空間Ｓに配置される。
【００３９】
ドレーンチューブ２００は、吸入ヘッド１２０を介してフィルムドレッシング１３０と傷部位Ｗとの間に形成された密閉空間Ｓと連通する。例えば、ドレーンチューブ２００は、一端が吸入ヘッド１２０の連結管部（参照番号無し）と連結されることによって、間接的に密閉空間Ｓと連通し得る。
ただし、所定の実施例において、吸入ヘッド１２０は、省略してもよく、ドレーンチューブ２００の一端は、直接的に密閉空間Ｓ内に配置され、前記密閉空間Ｓと連通し得る。
【００４０】
ドレーンチューブ２００は、密閉空間Ｓとキャニスター４００との間を連結する第１チューブ２１０と、キャニスター４００と陰圧発生ユニット３１０を連結する第２チューブ２２０とを含む。また、第２チューブ２２０には、疎水性フィルター３５０が具備され得る。
【００４１】
疎水性フィルター３５０は、ドレーンチューブ２００内に流動する流体のうち液体は通過させず、気体だけを通過させる。これにより、疎水性フィルター３５０は、ドレーンチューブ２００を介して液体（滲出物を含む）が陰圧発生ユニット３１０に流入されることを防止する役目を行う。滲出物などの液体が、疎水性フィルター３５０により陰圧発生ユニット３１０に流入されないため、陰圧発生ユニット３１０は、液体などの流入による故障及び／又は汚染が発生しない。
【００４２】
陰圧発生ユニット３１０は、陰圧を発生し、ドレーンチューブ２００を介して前記密閉空間Ｓ内に陰圧を供給する役目を行う。陰圧発生ユニット３１０は、陰圧を発生させる陰圧モーター３１１と、陰圧モーター３１１を制御するモーター制御部３１２とを含む。
【００４３】
陰圧モーター３１１は、モーター制御部３１２の制御の下に陰圧を生成する役目を行う。陰圧モーター３１１は、モーター制御部３１２により複数のモードで陰圧を生成することができる。また、陰圧モーター３１１で生成された陰圧は、ドレーンチューブ２００を介して密閉空間Ｓに供給される。
【００４４】
モーター制御部３１２は、陰圧モーター３１１を制御する役目を行い、後述する圧力センサー３４０で測定された密閉空間Ｓ内の圧力値に基づいて、陰圧モーター３１１をフィードバック制御する。例えば、圧力センサー３４０で測定された圧力値が既定の第１臨界値に対応するとき、モーター制御部３１２は、陰圧モーター３１１の駆動を停止させ、圧力センサー３４０で測定された圧力値が既定の第２臨界値に対応するとき、モーター制御部３１２は、陰圧モーター３１１を駆動させることができる。
【００４５】
圧力センサー３４０は、ドレーンチューブ２００上に配置され、ドレーンチューブ２００内の圧力を測定する。例えば、圧力センサー３４０は、第２チューブ２２０上に配置され、第２チューブ２２０内の圧力を測定できる。ここで、ドレーンチューブ２００及びフィルムドレッシング１３０と傷部位Ｗとの間の密閉空間Ｓは、連結された空間を形成する。したがって、ドレーンチューブ２００内の圧力情報にて密閉空間Ｓ内の圧力を把握できる。
圧力センサー３４０は、測定された圧力情報をモーター制御部３１２に伝達し、前述したように、モーター制御部３１２は、圧力センサー３４０で測定された密閉空間Ｓの圧力情報に基づいて、陰圧モーター３１１をフィードバック制御する。
【００４６】
流量センサー３２０は、陰圧により密閉空間から排出される流体の流量を測定する役目を行う。流量センサー３２０は、ドレーンチューブ２００上に配置され得る。例えば、流量センサー３２０は、キャニスター４００と陰圧発生ユニット３１０との間を連結する第２チューブ２２０に配置される。好ましくは、第２チューブ２２０上に配置された疎水性フィルター３５０と陰圧発生ユニット３１０との間に配置される。これにより、流量センサー３２０は、第２チューブ２２０内に流動する流体の流量を測定する。
【００４７】
陰圧により密閉空間Ｓから排出される流体は、密閉空間Ｓ内の気体及び／又は液体を含む。密閉空間Ｓ内の液体は、傷部位Ｗで発生した滲出物を含むことができる。密閉空間Ｓから排出される流体は、第１チューブ２１０を介してキャニスター４００に流動するようになる。キャニスター４００に流動した流体のうち液体は、重力によりキャニスター４００に収容され、気体は、陰圧により第２チューブ２２０に流動するようになる。
これにより、第２チューブ２２０に配置された流量センサー３２０は、密閉空間Ｓ内の気体の流量を測定でき、流量センサー３２０で測定された流量情報は、体積算出部３３０に伝達される。
【００４８】
体積算出部３３０は、流量センサー３２０で測定された流体の流量を基礎として傷部位Ｗの体積を自動的に算出する役目を行う。体積算出部３３０で算出された傷部位Ｗの体積は、傷に投与される治療物質の量を決定する役目をする。
体積算出部３３０は、フィルムドレッシング１３０及びフォームドレッシング１１０が傷部位Ｗの表面に圧着される過程で排出された流体の流量を積算し、傷部位Ｗの体積を算出できる。また、体積算出部３３０は、密閉空間Ｓ内の陰圧が臨界陰圧に対応するまで測定された流体の流量を積算し、傷部位の体積を算出できる。体積算出部３３０に対する具体的な内容については後述する。
【００４９】
ディスプレイ部（図示せず）は、テキスト及び／又はイメージを視覚的に表現し、体積算出部３３０で算出された傷部位Ｗの体積を表示する役目をする。また、ディスプレイ部（図示せず）は、治療物質の投与量、流量センサー３２０で測定した流量、陰圧発生ユニット３１０の作動状態などを表示することもできる。
【００５０】
キャニスター４００は、ドレーンチューブ２００上に配置され、ドレーンチューブ２００を介して密閉空間Ｓから排出された流体の一部を収容する役目をする。キャニスター４００に収容される流体の一部は、大部分液体（滲出物を含む）よりなる。また、キャニスター４００は、ハウジング３００の一側に着脱可能に結合される。
例えば、密閉空間Ｓに陰圧が供給される場合、密閉空間Ｓ内の流体がドレーンチューブ２００を介して密閉空間Ｓ外に排出される。ドレーンチューブ２００内を流動する流体は、ドレーンチューブ２００上に配置されたキャニスター４００に到逹する。キャニスター４００に到逹した流体のうち液体（滲出物を含む）は、重力によってキャニスター４００内に収容される。
【００５１】
ハウジング３００は、内部の空間を形成する。図１に示されたように、ハウジング３００の内部空間には、陰圧発生ユニット３１０、ドレーンチューブ２００の一部、疎水性フィルター３５０、圧力センサー３４０、流量センサー３２０及び体積算出部３３０などを収容する。これにより、ハウジング３００は、内部空間に収容された構成を外部から保護する役目を行う。
ハウジング３００の一側には、キャニスター４００が着脱され得る構造が具備され得る。また、ハウジング３００は、外表面にディスプレイ部（図示せず）が具備され得る。
【００５２】
イリゲーションユニット１４０は、傷部位Ｗに治療物質を投与する役目をする。
イリゲーションユニット１４０は、フォームドレッシング１１０の一側面に配置されるイリゲーションヘッド１４１と、一端が、イリゲーションヘッド１４１と連結されるイリゲーションチューブ１４２と、イリゲーションチューブ１４２の他端と連結され、傷部位に治療物質を供給する治療物質供給部１４３とを含む。
【００５３】
治療物質供給部１４３には、治療物質が収容され、ユーザの操作によって治療物質の投与量を調節できる。
【００５４】
図２〜図４は、本発明の一実施例による傷の体積測定装置の作動を説明するための図である。
図２〜図４を参照すれば、本発明の一実施例による傷の体積測定装置１０の体積算出部３３０で傷の体積を算出する過程を説明する。
【００５５】
フィルムドレッシング１３０により傷部位Ｗが密閉された状態で陰圧発生ユニット３１０を駆動させる。陰圧発生ユニット３１０で発生した陰圧は、フィルムドレッシング１３０と傷部位Ｗとの間の密閉空間Ｓに供給される。密閉空間Ｓに供給された陰圧により密閉空間Ｓ内の流体が排出される。
【００５６】
図２に示されたように。密閉空間Ｓは、フィルムドレッシング１３０とフォームドレッシング１１０との間の第１密閉空間Ｓ１と、フォームドレッシング１１０が配置された傷部位Ｗの第２密閉空間Ｓ２とを含む。
また、第１密閉空間Ｓ１内の流体には、大部分が気体で満たされており、第２密閉空間Ｓ２内の流体には、気体と液体（滲出物を含む）などが満たされている。また、第２密閉空間Ｓ２は、略傷部位Ｗの体積と近接して形成される。
密閉空間Ｓ内に陰圧が供給されることによって、第１密閉空間Ｓ１内の流体が速く排出される。これにより、流量センサー３２０で測定される流量は、大きく測定される。
【００５７】
図３に示されたように、密閉空間Ｓ内に陰圧が続いて供給されることによって、第１密閉空間Ｓ１内の流体が続いて排出され、第１密閉空間Ｓ１は、縮小され、最終的には、第１密閉空間Ｓ１は、消える。言い換えれば、フィルムドレッシング１３０がフォームドレッシング１１０に圧着されることによって、第１密閉空間Ｓ１は、消える。
【００５８】
図４に示されたように、フィルムドレッシング１３０がフォームドレッシング１１０に圧着された後にも、密閉空間Ｓ内に陰圧が続いて供給される。これにより、フィルムドレッシング１３０及びフォームドレッシング１１０は、傷部位Ｗの表面に圧着される。すなわち、フィルムドレッシング１３０が圧着されたフォームドレッシング１１０は、傷部位Ｗの表面に圧着される。
フィルムドレッシング１３０が圧着されたフォームドレッシング１１０が傷部位Ｗの表面に圧着される過程で、第２密閉空間Ｓ２の流体が排出される。この場合には、陰圧によりフィルムドレッシング１３０が圧着されたフォームドレッシング１１０を圧縮しながら第２密閉空間Ｓ２内の流体を排出するため、第２密閉空間Ｓ２内の流体は、遅く排出される。これにより、流量センサー３２０で測定される流量は、小さく測定される。
【００５９】
また、前述したように、第２密閉空間Ｓ２は、傷部位の体積に近接して形成される。これにより、体積算出部３３０が、フィルムドレッシング１３０及びフォームドレッシング１１０が傷部位Ｗの表面に圧着される過程で排出された流体の流量を積算する場合、傷部位Ｗの体積を算出できる。
【００６０】
図５は、本発明の一実施例による傷部位の体積測定装置が作動する場合に測定された流体の流量を概略的に示すグラフである。
図５を参照すれば、密閉空間Ｓ（図１参照）内に陰圧が供給されるとき、フィルムドレッシング１３０（図１参照）がフォームドレッシング１１０（図１参照）に圧着される過程０〜ｔ１で排出される流体の流量は、フィルムドレッシング１３１及びフォームドレッシング１１０が傷部位Ｗ（図１参照）の表面に圧着される過程ｔ１〜ｔ２で排出される流体の流量より大きく形成される。
【００６１】
前述したように、フィルムドレッシング１３０がフォームドレッシング１１０に圧着される過程０〜ｔ１で排出される流体には、大部分気体よりなると共に、陰圧の抵抗力でフィルムドレッシング１３０の引張力だけが作用するため、密閉空間Ｓから排出される流体の流量Ｑ１は、初期に最も大きく形成される。
【００６２】
図５に示されたように、フィルムドレッシング１３０がフォームドレッシング１１０に圧着される過程０〜ｔ１で排出される流体の流量は、時間が経過するほど徐々に減少する。これは、フィルムドレッシング１３０がフォームドレッシング１１０に圧着されるほど、陰圧の抵抗力として作用するフィルムドレッシング１３０の引張力が増加するからである。
これにより、密閉空間Ｓ内から排出される流体の流量は、次第に減少する。但し、流体の流量変化率は、臨界変化率より小さく形成される。
【００６３】
フィルムドレッシング１３０がフォームドレッシング１１０に圧着された後には、密閉空間Ｓ内に供給された陰圧により、フィルムドレッシング１３０及びフォームドレッシング１１０は、傷部位Ｗの表面に圧着される。言い換えれば、フィルムドレッシング１３０が圧着されたフォームドレッシング１１０が傷部位Ｗの表面に圧着される。
フィルムドレッシング１３０及びフォームドレッシング１１０が傷部位Ｗの表面に圧着される過程ｔ１〜ｔ２で排出される流体の流量は、フィルムドレッシング１３０がフォームドレッシング１１０に圧着される過程０〜ｔ１で排出される流体の流量より小さく形成される。
【００６４】
前述したように、フィルムドレッシング１３０及びフォームドレッシング１１０が傷部位Ｗの表面に圧着される過程ｔ１〜ｔ２で排出される流体には、液体（滲出物を含む）と気体よりなると共に、陰圧の抵抗力としてフィルムドレッシング１３０の引張力及びフォームドレッシング１１０の圧縮力が作用する。
これにより、フィルムドレッシング１３０及びフォームドレッシング１１０が傷部位Ｗの表面に圧着される過程ｔ１〜ｔ２で排出される流体の流量は、フィルムドレッシング１３０がフォームドレッシング１１０に圧着される過程０〜ｔ１で排出される流体の流量より小さく形成される。
【００６５】
また、フィルムドレッシング１３０及びフォームドレッシング１１０が傷部位Ｗの表面に圧着される過程ｔ１〜ｔ２で最も小さい流体の流量Ｑ２が測定される。
【００６６】
図５に示されたように、陰圧の抵抗力としてフィルムドレッシング１３０の引張力とフォームドレッシング１１０の圧縮力が作用するとき、密閉空間Ｓから排出される流体の流量変化率は、臨界変化率より大きく形成される。すなわち、密閉空間Ｓから排出される流体の流量が急激に減少する。
【００６７】
図２〜図４を参照して説明したように、フィルムドレッシング１３０及びフォームドレッシング１１０が傷部位Ｗの表面に圧着される過程で排出される流体は、傷の体積とほぼ近接した第２密閉空間Ｓ２（図１参照）から排出される流体である。
したがって、体積算出部３３０は、測定された流体の流量変化率が臨界変化率を超過した時点ｔ１から測定された流体の流量を積算する場合、傷部位Ｗの体積を算出できる。
【００６８】
また、体積算出部３３０は、測定された流体の流量変化率が臨界変化率が超過した時点ｔ１から密閉空間Ｓ内の陰圧が臨界陰圧に対応するまで測定された流体の流量を積算し、傷部位Ｗの体積を算出できる。
密閉空間Ｓの陰圧の絶対値が臨界陰圧の絶対値より大きく形成される場合、密閉空間Ｓ内の傷部位が陰圧により毀損され得るからである。
【００６９】
図６は、本発明の一実施例による傷の体積測定装置の作動過程を示す流れ図である。
図６を参照して、本発明の傷の体積測定装置１０（図１参照）を利用して傷の体積を測定する過程を説明する。
【００７０】
まず、傷部位Ｗ（図１参照）にフォームドレッシング１１０（図１参照）を配置する（Ｓ１０）。フォームドレッシング１１０は、傷部位Ｗの体積にほぼ対応するように形成されることが好ましい。傷部位Ｗに配置されたフォームドレッシング１１０は、傷で発生した滲出物を吸収する。
【００７１】
フォームドレッシング１１０の一側面に吸入ヘッド１２０（図２参照）を配置し、傷部位Ｗの隣接皮膚にフィルムドレッシング１３０（図１参照）を付着し、傷部位Ｗを密閉する（Ｓ２０）。フィルムドレッシング１３０で傷部位Ｗを密閉することによって、フィルムドレッシング１３０と傷部位Ｗとの間に密閉空間Ｓ（図１参照）が形成される。ただし、フィルムドレッシング１３０は、吸入ヘッド１２０の連結管部１２２（図１参照）を除いて傷部位Ｗを密閉する。
【００７２】
フィルムドレッシング１３０と傷部位Ｗとの間の密閉空間Ｓに陰圧を供給し、密閉空間Ｓ内の流体を排出する（Ｓ３０）。例えば、吸入ヘッド１２０の連結管部（参照番号無し）と連結され、密閉空間Ｓと連通するドレーンチューブ２００（図１参照）を介して密閉空間Ｓに陰圧を供給する。密閉空間Ｓに陰圧が供給されることによって、密閉空間Ｓ内の流体を排出させることができる。
【００７３】
密閉空間Ｓから排出された流体の流量を測定する（Ｓ４０）。例えば、流量センサー３２０（図１参照）がドレーンチューブ２００内で流動する流体の流量を測定する。
測定された流体の流量を基礎として傷部位Ｗの体積を算出する（Ｓ５０）。例えば、体積算出部３３０（図１参照）は、フィルムドレッシング１３０及びフォームドレッシング１１０が傷部位Ｗの表面に圧着される過程で排出された流体の流量を積算し、傷部位の体積を算出する。
また、体積算出部３３０は、測定された流体の変化率が臨界変化率を超過した時点から測定された流体の流量を積算し、傷部位の体積を算出する。体積算出部３３０は、密閉空間Ｓ内の陰圧が臨界陰圧に対応するまで測定された流体の流量を積算し、傷部位Ｗの体積を算出する。
【００７４】
言い換えれば、体積算出部３３０は、測定された流体の流量変化率が臨界変化率を超過した時点から密閉空間Ｓ内の陰圧が臨界陰圧に対応するまで測定された流体の流量を積算し、傷部位Ｗの体積を算出する。
所定の実施例において、体積算出部３３０は、測定された前記流体の流量が臨界流量より小さくなる時点から密閉空間Ｓ内の陰圧が臨界陰圧に対応するまで測定された前記流体の流量を積算し、前記傷部位の体積を算出できる。
【００７５】
算出された傷部位Ｗの体積を表示する（Ｓ６０）。例えば、体積算出部３３０で算出された傷部位Ｗの体積をディスプレイ部（図示せず）を介して表示する。これにより、ユーザは、傷部位の体積を正確に認識でき、傷部位Ｗの体積に対応するように治療物質の投与量を決定できる。
【００７６】
図７は、本発明の他の実施例による傷の体積測定装置が作動する場合に発生する流体の流量を概略的に示すグラフである。
図７を参照すれば、密閉空間内に陰圧が供給されるとき、フィルムドレッシングがフォームドレッシングに圧着される過程０〜ｔ’１で排出される流体の流量Ｑ’１は、フィルムドレッシング及びフォームドレッシングが傷部位の表面に圧着される過程ｔ’１〜ｔ’２で排出される流体の流量Ｑ’２より大きく形成される。
【００７７】
前述したように、フィルムドレッシングがフォームドレッシングに圧着される過程０〜ｔ’１で排出される流体には、大部分気体よりなると共に、陰圧としてフィルムドレッシングの引張力だけが利用されるため、密閉空間から排出される流体の流量Ｑ’１は、初期に最も大きく形成される。
【００７８】
図７に示されたように、フィルムドレッシングの付着状態、傷のサイズなどによって陰圧の抵抗力として作用するフィルムドレッシングの引張力は、フィルムドレッシングがフォームドレッシングに圧着される過程０〜ｔ’１で一定に作用できる。
これにより、フィルムドレッシングがフォームドレッシングに圧着される過程０〜ｔ’１で排出される流体の流量Ｑ’１は、略一定に維持され得る。
【００７９】
フィルムドレッシングがフォームドレッシングに圧着された後には、密閉空間内に供給された陰圧によりフィルムドレッシング及びフォームドレッシングが傷部位の表面に圧着される。言い換えれば、フィルムドレッシングが圧着されたフォームドレッシングが傷部位の表面に圧着される。
フィルムドレッシング及びフォームドレッシングが傷部位の表面に圧着される過程ｔ’１〜ｔ’２で排出される流体の流量Ｑ’２は、フィルムドレッシングがフォームドレッシングに圧着される過程０〜ｔ’１で排出される流体の流量Ｑ’１より小さく形成される。
【００８０】
前述したように、フィルムドレッシング及びフォームドレッシングが傷部位の表面に圧着される過程ｔ’１〜ｔ’２で排出される流体には、液体（滲出物を含む）と気体よりなると共に、陰圧の抵抗力としてフィルムドレッシングの引張力及びフォームドレッシングの圧縮力が作用するため、密閉空間から排出される流体の流量Ｑ’２は、フィルムドレッシングがフォームドレッシングに圧着される過程０〜ｔ’１で排出される流体の流量Ｑ’１より小さく形成される。
【００８１】
図７に示されたように、フィルムドレッシングの付着状態、傷のサイズ、フォームドレッシングのサイズ、材質などによって、陰圧により発生するフィルムドレッシングの引張力とフォームドレッシングの圧縮力は、フィルムドレッシング及びフォームドレッシングが傷部位の表面に圧着される過程で一定に維持され得る。
これにより、フィルムドレッシング及びフォームドレッシングが傷部位の表面に圧着される過程ｔ’１〜ｔ’２で排出される流体の流量Ｑ’２は、略一定に維持され得る。
【００８２】
図２〜図４を参照して説明したように、フィルムドレッシング及びフォームドレッシングが傷部位の表面に圧着される過程ｔ’１〜ｔ’２で排出される流体は、傷の体積とほぼ近接した第２密閉空間から排出される流体である。したがって、体積算出部は、測定された流体の流量が臨界流量より小さくなる時点ｔ’１から測定された流体の流量を積算する場合、傷部位の体積を算出できる。
【００８３】
また、臨界流量は、フィルムドレッシングがフォームドレッシングに圧着される過程０〜ｔ’１で排出される流体の流量Ｑ’１と、フィルムドレッシング及びフォームドレッシングが傷部位の表面に圧着される過程ｔ’１〜ｔ’２で排出される流体の流量Ｑ’２との間の値に設定され得る。
【００８４】
また、体積算出部は、測定された流体の流量が臨界流量より小さくなる時点ｔ’１から密閉空間内の陰圧が臨界陰圧に対応するまで測定された流体の流量を積算し、傷部位の体積を算出できる。
【００８５】
［発明を実施するための形態］
本発明の実施例による傷の体積測定装置は、傷部位に配置されるフォームドレッシングと、前記傷部位の隣接皮膚に付着し、前記傷部位を密閉するフィルムドレッシングと、一端が、前記フィルムドレッシングと前記傷部位との間に形成される密閉空間と連通するドレーンチューブと、前記ドレーンチューブの他端に連結され、前記密閉空間に陰圧を供給する陰圧発生ユニットと、前記陰圧により前記密閉空間から排出される流体の流量を測定する流量センサーと、前記流量センサーで測定された前記流体の流量を基礎として前記傷部位の体積を算出する体積算出部とを含み、前記密閉空間は、前記フィルムドレッシングと前記フォームドレッシングとの間の第１密閉空間と、前記フォームドレッシングが配置される傷部位の第２密閉空間とを有し、前記第１密閉空間内の前記流体を排出して前記第１密閉空間を縮小させ、前記第１密閉空間を消失させると、前記フィルムドレッシングが前記フォームドレッシングに圧着され、前記体積算出部は、前記フィルムドレッシング及び前記フォームドレッシングが前記傷部位の表面に圧着される過程で排出された流体の流量を積算し、前記傷部位の体積を算出する。
【００８６】
［発明を実施するための形態］
本発明の実施例による傷の体積測定方法は、傷部位にフォームドレッシングを配置する段階と、前記傷部位の隣接皮膚にフィルムドレッシングを付着し、前記傷部位を密閉する段階と、前記フィルムドレッシングと前記傷部位との間に形成される密閉空間に陰圧を供給し、前記密閉空間内の流体を排出する段階と、前記密閉空間から排出された前記流体の流量を測定する段階と、測定された前記流体の流量を基礎として前記傷部位の体積を算出する段階とを含む。
本発明の実施例による傷の体積測定装置は、傷部位に配置されるフォームドレッシングと、前記傷部位の隣接皮膚に付着し、前記傷部位を密閉するフィルムドレッシングと、一端が、前記フィルムドレッシングと前記傷部位との間に形成される密閉空間と連通するドレーンチューブと、前記ドレーンチューブの他端に連結され、前記密閉空間に陰圧を供給する陰圧発生ユニットと、前記陰圧により前記密閉空間から排出される流体の流量を測定する流量センサーと、前記流量センサーで測定された前記流体の流量を基礎として前記傷部位の体積を算出する体積算出部とを含む。
【図１】
0006401867.tif 000002
【図２】
0006401867.tif 000003
【図３】
0006401867.tif 000004
【図４】
0006401867.tif 000005
【図５】
0006401867.tif 000006
【図６】
0006401867.tif 000007
【図７】
0006401867.tif 000008